(57)【要約】【課題】  通行情報の検索を効率的に行える通行情報管理サーバおよび料金収受システムを提供する。【解決手段】  通行情報管理サーバが、通行情報を記憶し、他の通行情報管理サーバからの通行情報の検索要求に応じて、通行情報を検索し、その検索結果を送信すると共に、他の通行情報管理サーバに通行情報の検索を要求し、この検索要求に対応する検索結果に応じて、記憶された通行情報を更新する。料金所毎に通行情報管理サーバを設置して、この通行情報管理サーバ間で検索要求、この要求に対応する検索結果の送受信を行うことで、上位システムを介在すること無く、効率的に通行情報を検索できる。【選択図】図１
2006079317.tif 000002
【特許請求の範囲】
【請求項１】
車両の通行情報を管理する通行情報管理サーバであって、
前記通行情報を記憶する通行情報記憶部と、
他の通行情報管理サーバからの通行情報の検索要求を受信する検索要求受信部と、
前記受信された検索要求に応じて、前記通行情報記憶部内の通行情報を検索する通行情報検索部と、
前記通行情報検索部による検索結果を前記他の通行情報管理サーバに送信する検索結果送信部と、
他の通行情報管理サーバに通行情報の検索要求を送信する検索要求送信部と、
前記送信された検索要求に対応する検索結果を受信する検索結果受信部と、
を具備することを特徴とする通行情報管理サーバ。
【請求項２】
前記受信された検索結果に応じて、前記通行情報記憶部に記憶された通行情報を更新する通行情報更新部、
をさらに具備することを特徴とする請求項１記載の通行情報管理サーバ。
【請求項３】
前記通行情報が、車両通行用のカードを識別するカード識別情報と、料金収受の有無を表す料金収受情報と、を含み、
前記検索要求送信部が、カード識別情報の有無の検索要求を送信し、
前記受信された検索結果が前記カード識別情報の存在を表すとき、前記通行情報更新部が前記通行情報記憶部に記憶された通行情報に含まれる料金収受情報を料金収受済みに更新する
ことを特徴とする請求項２記載の通行情報管理サーバ。
【請求項４】
前記通行情報が、前記車両通行用のカードからの読み出し、書き込み時の不良の有無を表すエラー有無情報をさらに含む
ことを特徴とする請求項３記載の通行情報管理サーバ。
【請求項５】
前記車両通行用のカードが、非接触ＩＣカードである
ことを特徴とする請求項３記載の通行情報管理サーバ。
【請求項６】
前記検索を要求する他の通行管理サーバを識別するサーバ識別情報を有する検索用テーブルをさらに具備し、
前記検索用テーブルに基づいて、前記検索要求送信部が他の通行管理サーバに検索要求を送信する
ことを特徴とする請求項１記載の通行情報管理サーバ。
【請求項７】
前記検索用テーブルが、他の通行管理サーバとの距離または車両の移動時間に対応して配置されるサーバ識別情報を複数有し、
前記検索要求送信部が、前記検索用テーブルに基づく順序で複数の他の通行管理サーバに検索要求を送信する
ことを特徴とする請求項６記載の通行情報管理サーバ。
【請求項８】
異なる料金所に設置された請求項１記載の通行情報管理サーバを複数具備する
ことを特徴とする料金収受システム。
【発明の詳細な説明】
【技術分野】
【０００１】
本発明は、車両の通行情報を管理する通行情報管理サーバおよび料金収受システムに関する。
【背景技術】
【０００２】
有料道路の料金収受に、現金、回数券、プリペイドカード、クレジットカード等により通行料金の収受を行う料金収受システムが用いられている。例えば、対距離の有料道路において、入口料金所で通行券を発行し、出口料金所で通行券より通行情報を読み取り、通行料金を決定する。
通行券の代わりに非接触型ＩＣカードを用いる料金収受システムが開発されている。非接触型ＩＣカードを料金所に設置されたアンテナに翳すことで、データの読取／書込による料金収受処理を行える。
なお、入口識別情報および残高情報の双方を記録可能なカードを用い、道路の出口で利用料金の徴収を行うと共に、利用料金および徴収料金に基づいて、カードに残高情報を記録する料金収受システムの技術が公開されている（特許文献１参照）。
【特許文献１】特開２００４−１３３８３７号
【発明の開示】
【発明が解決しようとする課題】
【０００３】
通行券を用いた料金収受システムでは、通行券を毎回発行して使い捨てすることから経済性に欠け、また通行券を偽造された場合に不正の検知が困難である。
非接触型ＩＣカードを用いた料金収受システムでは、読み取り、書き込み異常への対応が問題となる。例えば、異常時への対応のために、非接触型ＩＣカードに記録内容の印字を行うことが考えられるが、印字のためにＩＣカードを処理機内に取り込む必要が生じ、非接触型のメリットが失われることになる。
車両の通行情報を各料金所から上位システムへ送信して管理する料金収受システムでは、上位システムに通行情報が送信されるまでにタイムラグが存在し、タイムリーな検索が困難となる。また全ての問合わせが上位システムに集中し、上位システムの処理の負荷が大きくなる。
上記に鑑み、本発明は通行情報の検索を効率的に行える通行情報管理サーバおよび料金収受システムを提供することを目的とする。
【課題を解決するための手段】
【０００４】
上記目的を達成するために、本発明に係る通行情報管理サーバは、車両の通行情報を管理する通行情報管理サーバであって、前記通行情報を記憶する通行情報記憶部と、他の通行情報管理サーバからの通行情報の検索要求を受信する検索要求受信部と、前記受信された検索要求に応じて、前記通行情報記憶部内の通行情報を検索する通行情報検索部と、前記通行情報検索部による検索結果を前記他の通行情報管理サーバに送信する検索結果送信部と、他の通行情報管理サーバに通行情報の検索要求を送信する検索要求送信部と、前記送信された検索要求に対応する検索結果を受信する検索結果受信部と、前記受信された検索結果に応じて、前記通行情報記憶部に記憶された通行情報を更新する通行情報更新部と、を具備することを特徴とする。
【０００５】
通行情報管理サーバが、通行情報を記憶し、他の通行情報管理サーバからの通行情報の検索要求に応じて、通行情報を検索し、その検索結果を送信すると共に、他の通行情報管理サーバに通行情報の検索を要求し、この検索要求に対応する検索結果に応じて、記憶された通行情報を更新する。料金所毎に通行情報管理サーバを設置して、この通行情報管理サーバ間で検索要求、この要求に対応する検索結果の送受信を行うことで、上位システムを介在すること無く、効率的に通行情報を検索できる。
【発明の効果】
【０００６】
本発明によれば通行情報の検索を効率的に行える通行情報管理サーバおよび料金収受システムを提供できる。
【発明を実施するための最良の形態】
【０００７】
以下、図面を参照して、本発明の実施の形態を詳細に説明する。
図１は本発明の一実施形態に係る料金収受システム１０の構成を表すブロック図である。
料金収受システム１０は、道路の料金所に配置された入口端末１１、出口端末１２、料金所データ処理装置１３、ＩＤサーバ１４を有する。
図２，３は、入口端末１１，出口端末１２の内部構成を表すブロック図である。
【０００８】
入口端末１１は、道路に進入する車両の利用者が所持する非接触ＩＣカードからの情報の読み取り、書き込みによって、車両の道路への入口処理を行う。入口端末１１は、制御部１１１，表示部１１２，操作部１１３，アンテナ１１４を有する。
制御部１１１は、入口端末１１全体の処理を制御するものであり、料金所データ処理装置１３、ＩＤサーバ１４との間で非接触ＩＣからの読み取り、書き込み情報のやり取りを行う。
表示部１１２は，係員への各種表示を行う。
操作部１１３は，係員による入力操作等を行うためのものであり、例えば、非接触ＩＣカードからの読み取り、書き込みに不良が発生したときに利用される。
アンテナ１１４は、非接触ＩＣカードと無線による通信を行い、非接触ＩＣカードからの情報の読み取り、書き込みを可能とする。
【０００９】
出口端末１２は、道路から退場する車両の利用者が所持する非接触ＩＣカードからの情報の読み取り、書き込みによって、車両の道路からの出口処理を行う。出口端末１２は、制御部１２１，表示部１２２，操作部１２３，アンテナ１２４、領収書発行機１２５を有する。
制御部１２１は、出口端末１２全体の処理を制御するものであり、料金所データ処理装置１３、ＩＤサーバ１４との間で非接触ＩＣからの読み取り、書き込み情報のやり取りを行う。
表示部１２２は，係員への各種表示を行う。
操作部１２３は，係員による入力操作等を行うためのものであり、例えば、非接触ＩＣカードからの読み取り、書き込みに不良が発生したときに利用される。
アンテナ１２４は、非接触ＩＣカードと無線による通信を行い、非接触ＩＣカードからの情報の読み取り、書き込みを可能とする。
領収書発行機１２５は、領収書を必要とする利用者のために領収書を発行する。
【００１０】
料金所データ処理装置１３は、上位システム２０に接続され、上位システム２０と、入口端末１１，出口端末１２との間で非接触ＩＣカードの情報のやり取りを行うことで、料金収受処理を行う。即ち、入口処理時の情報が入口端末１１，料金所データ処理装置１３を経由して上位システム２０に蓄積され、出口処理時に参照されることで、料金収受処理が行われる。
【００１１】
ＩＤサーバ１４は、入口処理時における車両の通行情報を蓄積、検索するための装置であり、通行情報管理サーバとして機能する。
ＩＤサーバ１４は、図示しない記憶部、検索部、検索要求部、情報更新部、および送受信部を有する。記憶部は、通行情報および料金所検索テーブルを蓄積するための記憶装置、例えば、ハードディスクであり、通行情報記憶部として機能する。検索部は、記憶部に記憶された通行情報の検索を行うものであり、通行情報検索部として機能する。検索要求部は、他のＩＤサーバ１４の検索部に検索の要求を出すものであり、料金所検索テーブルを用いて効率的に検索を要求する。情報更新部は、記憶部に記憶された通行情報等を更新するものであり通行情報更新部として機能する。送受信部は、ＩＤサーバネットワークを通じた情報の送受信を行うものであり、検索要求送信部、検索要求受信部、検索結果送信部、検索結果受信部として機能する。
【００１２】
ＩＤサーバ１４は、上位システム２０を経由することなく、ＩＤサーバネットワークを通じて直接的に接続され、通行情報等の速やかな検索を可能としている。即ち、各料金所それぞれの通行情報は、各料金所に配置されたＩＤサーバ１４それぞれに蓄積された状態で検索され、料金所データ処理装置１３から上位システム２０への送信、蓄積を必要としない。
【００１３】
図４は、ＩＤサーバ１４に記憶された通行情報の一例を表す模式図である。
通行情報は、日時（車両がその料金所を通過した日付、時刻）、非接触ＩＣカードのＩＤ情報（カード識別情報）、車両情報（例えば、ナンバプレートの番号、車種、軸数）、エラー情報（非接触ＩＣカードからの読み取り、書き込みの不良の有無、不良内容を表す）、料金収受情報（料金収受の有無を表す）が対応して表されるテーブルとして記憶される。
【００１４】
これらの通行情報は、入口端末１１からＩＤサーバ１４に送信されて蓄積される。
通行情報中の「日時」は、入口端末１１が有するタイマ（図示せず）から読み取られる。
「ＩＤ情報」は、アンテナ１１４によって非接触ＩＣカードから読み取られる。「車両情報」は、例えば、入口端末１１に画像処理装置を設置しておくことで、画像処理装置から読み取ることができる。
「料金収受情報」は、入口処理の際に料金体系に応じて付与される。例えば、定額料金では入口処理の際に料金が収受され、「収受済」となり、対距離料金では「未収受」となる。
【００１５】
「エラー情報」は、アンテナ１１４と非接触ＩＣカードとの通信が正常に完了したか否かに応じて付与される。通信が正常に完了しない（エラー）の場合には、通行情報、例えば、車両情報の取得がなされないことがあり得る。この場合であっても「ＩＤ情報」は、アンテナ１１４と非接触ＩＣカードとの通信の初期段階で非接触ＩＣカードから読み取られることから、取得できている可能性が高い（通信が最初から不良の場合には、車両の通行が阻止される）。従って、ほとんどの場合、「ＩＤ情報」を用いた車両の通行の確認が可能である。
【００１６】
図５は、ＩＤサーバに記憶された料金所検索テーブルの一例を表す模式図である。
図５に示すように、料金所検索テーブルは、ＩＤサーバ識別情報、料金所識別情報、距離情報、所要時間情報、経路パターン情報が対応して表される。
「ＩＤサーバ識別情報」は、ＩＤサーバ１４を互いに識別する情報であり、例えば、ＩＤサーバ１４のＩＤサーバネットワーク上のアドレスを利用できる。
「料金所識別情報」は、ＩＤサーバ１４が設置されている料金所を互いに識別する情報であり、その料金所の所在地を利用できる。
「経路パターン情報」は、車両の通行経路を識別するための情報である。即ち、同一経路上に配置される料金所は同一の経路識別情報が付与される。図５では、料金所１，２は、同一経路を経由して、そのＩＤサーバ１４が設置された料金所に到達できる。
「距離情報」は、そのＩＤサーバ１４と対象のＩＤサーバ１４間の距離を表す情報である。
【００１７】
「所要時間情報」は、そのＩＤサーバ１４と対象のＩＤサーバ１４間を車両が通行するときの所要時間を表す情報である。所要時間は、道路の混雑の程度等に応じて変化することから、定期的に更新することが好ましい。この更新は、例えば、その料金所の出口端末１２で出口処理を行う際に、出口処理時の時刻からその車両が進入したときの時刻を減算した値を用いて行える。
【００１８】
料金所検索テーブルを参照することで、次のような通行情報の効率的な検索が可能となる。
（１）そのＩＤサーバ１４が設置された料金所に車両が到達可能な入口料金所をその料金所を基準として、近い料金所から順に通行情報を検索できる。
（２）そのＩＤサーバ１４が設置された料金所に車両が到達可能な入口料金所をその料金所を基準として、遠い料金所から順に通行情報を検索できる。
【００１９】
（３）進入した入口料金所の位置がある程度判っている場合には、その位置付近の入口料金所で通行情報を検索できる。この検索は、そのＩＤサーバ１４が設置された料金所から近い順、遠い順の何れで行っても差し支えない。
【００２０】
（４）進入したときの時刻または進入してからの所要時間が判っている場合には、その所要時間に対応する料金所を中心として検索する。
（５）料金所が通行経路パターンで区分されていることから、これらの（１）〜（４）の検索を経路パターンに区分して行い、検索の効率をより向上することができる。
【００２１】
料金所検索テーブルの例として、ＩＤサーバ識別情報、料金所識別情報、距離情報、所要時間情報、経路パターン情報が対応して表されたものを示したが、必ずしもこれらの情報の全てが必要な訳ではない。
例えば、ＩＤサーバ１４が設置された料金所に車両が到達可能な料金所を配列したもの料金所検索テーブルとしても入口料金所の検索は可能である。
このとき、この配列をＩＤサーバ１４が設置された料金所から距離的に近い順とすることで、入口料金所の検索効率を向上できる。
【００２２】
（料金収受システムの動作）
料金収受システム１０の動作を説明する。ここでは、入口料金所および出口料金所において非接触ＩＣカードからの読み出し、書き込みが正常に行われたか否かで区分して説明する。
【００２３】
（１）入口料金所および出口料金所において、非接触ＩＣカードからの読み出し、書き込みが正常に行われた場合
入口料金所にて、入口端末１１のアンテナ１１４に利用者が非接触型ＩＣカードを翳すことで、非接触ＩＣカードからのＩＤ情報の読み取り、入口料金所、通行情報等の書き込みが行われる。そして、通行情報（日時、ＩＤ情報、車両情報）が入口端末１１からＩＤサーバ１４に通知される。通行情報の通知を受けたＩＤサーバ１４は未収受の通行情報として記憶部に保存する。
【００２４】
出口料金所の出口端末１２のアンテナ１２４に利用者が非接触カードを翳すことで、非接触ＩＣカードに書き込まれた入口料金所、通行情報が読み取られ、ＩＤサーバ１４に通知される。
ＩＤサーバ１４は、通知された入口料金所のＩＤサーバ１４に、該当する未収受の通行情報があるかどうかの検索要求を行う。検索要求を受けたＩＤサーバ１４は、記憶部に保存している通行情報の中に一致する情報があるかどうかを検索し、検索結果を要求元のＩＤサーバ１４へ通知する。
【００２５】
この入口料金所のＩＤサーバ１４に通行情報があるとの検索結果が要求元のＩＤサーバ１４（出口料金所）に通知された場合は、この情報を基に出口料金所での料金収受処理が行われる。非接触ＩＣカード内に残額がある場合は、その残額から料金を引き去る。非接触ＩＣカード内に残額がない場合は、現金やクレジットカード等による料金収受処理を行う。
料金収受処理が終了したら、その情報を出口料金所のＩＤサーバ１４に通知する。このＩＤサーバ１４は、入口料金所のＩＤサーバ１４に対して収受処理完了通知を行い、それを受けた入口料金所のＩＤサーバ１４は、該当する通過情報を検索し、収受済みに更新する。
入口料金所のＩＤサーバ１４に通行情報がなかった場合は、異常として料金収受処理をストップする（不正の検出）。
【００２６】
（２）入口料金所では非接触ＩＣカードからの読み出し、書き込みが正常に行われ、出口料金所では読み出し、書き込みが異常となった場合
入口料金所にて、入口端末１１のアンテナ１１４に利用者が非接触型ＩＣカードを翳すことで、非接触ＩＣカードからのＩＤ情報の読み取り、入口料金所、通行情報等の書き込みが行われる。そして、通行情報（日時、ＩＤ情報、車両情報）が入口端末１１からＩＤサーバ１４に通知される。通行情報の通知を受けたＩＤサーバ１４は未収受の通行情報として記憶部に保存する。
出口料金所でアンテナ１２４に非接触カードを翳しても、通行情報の読み取りができなかった場合は、次の２通りの方法で入口料金所での通過情報を検索する。
【００２７】
（２−１）利用者の情報より、入口料金所が判明した場合
利用者から入口料金所、通行日時、車両情報等の情報が聞きだせる場合は、その情報と非接触ＩＣカードのＩＤ情報が出口端末１２の操作部１２３から入力され、ＩＤサーバ１４に通知される。
ＩＤサーバ１４は、通知された入口料金所のＩＤサーバ１４に、該当する未収受の通行情報があるかどうかの検索要求を行う。要求を受けたＩＤサーバ１４は、保存している通行情報の中に一致する情報があるかどうかを検索し、検索結果と通行情報を要求元のＩＤサーバ１４（出口料金所）に通知する。
【００２８】
出口料金所のＩＤサーバ１４は、その検索結果と通行情報を出口端末１２に通知しその表示部１２２に表示し、妥当と判断できた場合は、この情報をもとに収受処理を行う。即ち、係員が表示部１２２から料金収受処理の開始が妥当と判断したときは、料金収受処理可を表す情報を操作部１２３に入力することで、料金収受処理が開始される。係員が妥当でないと判断したときは、必要に応じて、更なる検索要求が発せられる。
出口料金所での料金収受処理が終了したら、その情報をＩＤサーバ１４に通知する。ＩＤサーバ１４は、入口料金所のＩＤサーバ１４に対して収受処理完了通知を行い、それを受けた入口料金所のＩＤサーバ１４は、該当する通過情報を検索し、収受済みに更新する。
【００２９】
（２−２）入口料金所が判明しなかった場合
利用者より入口料金所等の情報が聞き出せなかった場合や、聞き出せても通行情報が見つからなかった場合は、出口端末１２の操作部１２３から、車両情報と非接触ＩＣカードのＩＤ情報と、検索順序情報として、経路パターン、検索開始料金所、検索方向（遠い料金所から／近い料金所から）等が入力され、ＩＤサーバ１４に対して検索要求を行う。ＩＤサーバ１４は、その検索情報と料金所検索テーブルを基に、入口料金所のＩＤサーバ１４に、通行情報の検索要求を行う。このとき、検索要求が発せられる入口料金所の順序は、検索順序情報および料金所検索テーブルにより定まる。
要求を受けたＩＤサーバ１４は、保存している通行情報の中に一致する情報があるかどうかを検索し、検索結果と通行情報を要求元のＩＤサーバ１４（出口料金所）に通知する。
【００３０】
出口料金所のＩＤサーバ１４は、受信した検査結果から検索先の入口料金所のＩＤサーバ１４から通行情報が検出できた場合を選別し、受信した検索結果と通行情報を出口端末１２に通知しその表示部１２２に表示する。
受信した検索結果と通行情報から料金収受処理の開始が妥当と判断された場合は、そこで検索を終了し、この情報をもとに料金収受処理を行う。即ち、係員が表示部１２２から妥当と判断したときは、検索終了および料金収受処理可を表す情報を操作部１２３に入力することで、検索が終了し、料金収受処理が開始される。
出口料金所での料金収受処理が終了したら、その情報をＩＤサーバ１４に通知する。ＩＤサーバ１４は、入口料金所のＩＤサーバ１４に対して収受処理完了通知を行い、それを受けた入口料金所のＩＤサーバ１４は、該当する通過情報を検索し、収受済みに更新する。
【００３１】
受信した検索結果と通行情報から料金収受処理の開始が妥当と判断されなかった場合は、係員が操作部１２３を操作することで、ＩＤサーバ１４に対して検索続行を指示する。
出口料金所のＩＤサーバ１４は、通行情報がなかった場合や、出口端末１２より処理続行を指示された場合、検索順序情報と料金所検索テーブルを元に、次の入口料金所を決定し、その入口料金所に対して通行情報の検索要求を行う。ＩＤサーバ１４は、出口端末１２より検索終了の指示が入力されるか、検索対象の料金所がなくなるまで、順次この処理を繰り返す。
【００３２】
（３）入口料金所で非接触ＩＣカードからの読み出し、書込みが異常となった場合
入口料金所で、非接触ＩＣカードからの読み出し、書込みの処理中に異常が発生した場合は、それまでの読み取れた情報、通行日時、ＩＤ情報、車両情報、及びエラー情報を通行情報としてＩＤサーバ１４に通知する。
通知を受けたＩＤサーバ１４は、未収受の通行情報として記憶部に保存する。
非接触ＩＣカードからの読み出し、書込みで異常が発生した場合には、異常表示や開閉バーを閉める等の対策を行うことから、非接触ＩＣカードに不完全な情報が記録されたままの状態が維持される可能性は小さい。
しかしながら、利用者が異常表示等に気がつかずに料金所を通過する可能性がある。このような場合には、分かる範囲での通行情報をＩＤサーバ１４に保存することにより、通行情報の検索が可能となる。
【００３３】
料金収受システム１０を用いることで、次のような利益を享受することが可能となる。
・磁気記録式の通行券の代わりに非接触型ＩＣカードに使用し、これに通行情報を記録することで、使い捨ての通行券の使用をなくす（又は減らす）ことができる。即ち、非接触型ＩＣカードに通行情報を再書き込みまたは追記することで、非接触型ＩＣカードの再利用が可能となる。
【００３４】
・料金収受時に、ＩＤサーバ１４を用いて通行情報を入口料金所に確認することで、非接触型ＩＣカードを含めた通行券の偽造による不正を検知することが容易となる。
【００３５】
・入口料金所で非接触型ＩＣカードに通行情報の印字を行わなくても、非接触型ＩＣカードが読み取れない場合に通行情報を取得することができる。即ち、各料金所の通行情報を保存したＩＤサーバ１４を検索することにより、通行情報を取得できる。
【００３６】
・通行情報が上位システム２０（センタ）に送信されるまでのタイムラグを意識することなく、通行情報を検索でき、また全ての問合わせがセンタに集中しなくなる。即ち、料金所毎に通行情報を保存したＩＤサーバ１４を設け、互いをネットワークで結ぶことで、料金所同士での直接的な通行情報の検索が可能となる。
【００３７】
・通行情報が取得できず、入口料金所が特定できない場合でも、効率よく通行情報を検索できる。即ち、料金所毎に、経路パターン、検索方向を考慮して作成した料金所検索テーブルを設け、この料金所検索テーブルに基づき、検索を要求する料金所を選択することにより、効率の良い検索が可能となる。
【００３８】
（その他の実施形態）
本発明の実施形態は上記の実施形態に限られず拡張、変更可能であり、拡張、変更した実施形態も本発明の技術的範囲に含まれる。
例えば、非接触型ＩＣカードを利用しなくても、料金所毎に通行情報を保存するＩＤサーバ１４を設けることで、出口料金所で入口情報が取得できなかった場合に、入口情報を検索することが容易となる。一例として、料金所の端末と車両の車載器との無線通信により料金収受を行うノンストップ料金収受システムへの適用が考えられる。
【図面の簡単な説明】
【００３９】
【図１】本発明の一実施形態に係る料金収受システムの構成を表すブロック図である。
【図２】入口端末の内部構成を表すブロック図である。
【図３】出口端末の内部構成を表すブロック図である。
【図４】ＩＤサーバに記憶された通行情報の一例を表す模式図である。
【図５】ＩＤサーバに記憶された料金所検索テーブルの一例を表す模式図である。
【符号の説明】
【００４０】
１０…料金収受システム、１１…入口端末、１２…出口端末、１３…料金所データ処理装置、１４…ＩＤサーバ、１１１…制御部、１１２…表示部、１１３…操作部、１１４…アンテナ、１２１…制御部、１２２…表示部、１２３…操作部、１２４…アンテナ、１２５…領収書発行機
【図１】
2006079317.tif 000003
【図２】
2006079317.tif 000004
【図３】
2006079317.tif 000005
【図４】
2006079317.tif 000006
【図５】
2006079317.tif 000007